【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
アクチュエータ装置であって、
陰極、陽極、および化学種を備える少なくとも１つの電気化学セルを備え、
該化学種は、該電気化学セルの第２の部分とは異なる程度まで該電気化学セルの第１の部分とインターカレート、脱インターカレート、合金化、酸化、還元、またはめっき化するように調合されており、これによって、該第１の部分と該第２の部分との間にひずみ差を付与して、該電気化学セルの少なくとも一部分の変位を引き起こす、
アクチュエータ装置。
【請求項２】
前記電気化学セルの電位の変化が前記ひずみ差を生じる、請求項１に記載のアクチュエータ装置。
【請求項３】
前記化学種はインターカレート化学種である、請求項１に記載のアクチュエータ装置。
【請求項４】
前記化学種は、前記第２の部分とではなく、前記第１の部分と実質的にインターカレート、脱インターカレート、または合金化する、請求項１に記載のアクチュエータ装置。
【請求項５】
前記化学種は、前記第２の部分とは異なる程度まで前記第１の部分にインターカレートするように調合されている、請求項１に記載のアクチュエータ装置。
【請求項６】
前記電気化学セルの前記変位によって、第１の配向から第２の配向へ変位されるように構築される構造をさらに備える、請求項１に記載のアクチュエータ装置。
【請求項７】
前記電気化学セル電位の変化により、該電気化学セルは、レザバに力を加えて、該レザバからの流体の送達を引き起こす、請求項１に記載のアクチュエータ装置。
【請求項８】
アクチュエータ装置であって、
バイモルフ電極を有する電気化学アクチュエータを備え、該バイモルフ電極は、寸法的に非活性な材料上に配置された寸法的に活性な材料を備え、該バイモルフ電極は、該電気化学アクチュエータが電位の変化を受ける際に容積または位置を変化させ、これによって、該電気化学アクチュエータの少なくとも一部分の変位を引き起こするように構築されている、
アクチュエータ装置。
【請求項９】
前記バイモルフ電極が、前記寸法的に非活性な材料の基板に結合した、前記寸法的に活性な材料の層を備える、請求項８に記載のアクチュエータ装置。
【請求項１０】
前記バイモルフ電極が、第１の位置および第２の位置を備え、該第１の位置および該第２の位置は、異なる材料から形成されている、請求項８に記載のアクチュエータ装置。
【請求項１１】
前記バイモルフ電極が、第１の部分および第２の部分を備え、該第１の部分は、該第２の部分とは異なる程度までの化学種のインターカレーションを可能にするように構築されており、これによって、該第１の部分と該第２の部分との間にひずみ差を付与し、そして前記電気化学アクチュエータの少なくとも一部分の変位を引き起こす、請求項８に記載のアクチュエータ装置。
【請求項１２】
前記電気化学アクチュエータ装置が、前記バイモルフ電極の第２の部分とは異なる程度まで該バイモルフ電極の第１の部分とインターカレート、脱インターカレート、合金化、酸化、還元、またはめっき化するように調合された化学種を含み、これによって、該第１の部分と該第２の部分との間にひずみ差を付与して、該電気化学アクチュエータの少なくとも一部分の変位を引き起こす、請求項８に記載のアクチュエータ装置。
【請求項１３】
前記電気化学アクチュエータの前記変位によって、第１の配向から第２の配向へ変位されるように構築される構造をさらに備える、請求項８に記載のアクチュエータ装置。
【請求項１４】
前記電気化学アクチュエータ電位の変化により、該電気化学アクチュエータは、レザバに力を加えて、該レザバからの流体の送達を引き起こす、請求項８に記載のアクチュエータ装置。
【請求項１５】
患者に治療剤を送達する装置であって、
流体レザバ；および
電極を備える電気化学アクチュエータであって、該電極は、該電気化学アクチュエータが電位の変化を受ける際に屈曲するように構築されており、該電極の屈曲は、該流体を該流体レザバから送達させるように作動する、電気化学アクチュエータ、
を備える、装置。
【請求項１６】
前記流体レザバが変形可能な嚢体を備え、そして前記電気化学アクチュエータが該変形可能な嚢体と直接接触している、請求項１５に記載の装置。
【請求項１７】
前記流体レザバと前記電気化学アクチュエータとの間に配置された輸送構造をさらに備え、該輸送構造は、該電気化学アクチュエータによりもたらされる機械的仕事を該流体レザバに輸送するように適合されている、請求項１５に記載の装置。
【請求項１８】
前記電気化学アクチュエータが、該電気化学アクチュエータの第２の部分とは異なる程度まで該電気化学アクチュエータの第１の部分とインターカレート、脱インターカレート、合金化、酸化、還元、またはめっき化するように調合された化学種を含み、これによって、該第１の部分と該第２の部分との間にひずみ差を付与して、前記電極の少なくとも一部分の変位を引き起こす、請求項１５に記載の装置。
【請求項１９】
ハウジングをさらに備え、該ハウジングは、前記流体レザバおよび前記患者の身体に取り外し可能に関連付けられるために適しており、前記電気化学アクチュエータは、該ハウジング内に配置され、そして該アクチュエータの第１の端部は、該ハウジングに固定されており、そして該アクチュエータの第２の端部は、束縛されておらず、そして該アクチュエータが起動する際に、該第２の端部が該流体レザバの方へと変位するように配向されており、これによって、流体が該流体レザバから送達されるように、該レザバに力を付与する、請求項１５に記載の装置。
【請求項２０】
電気回路をさらに備え、該電気回路は、前記電気化学アクチュエータが前記電気回路を通して放電することを可能にするように前記電極に電気的に結合されている、請求項１５に記載の装置。
【手続補正２】
【補正対象書類名】明細書
【補正対象項目名】０００７
【補正方法】変更
【補正の内容】
【０００７】
本発明は、例えば、以下を提供する：
（項目１）
第１の配向から第２の配向へ変位されるように構築および配置されるアクチュエータシステムであって、
陰極および陽極を備える少なくとも１つの電気化学セルを備え、
該陰極および陽極の片方または両方は、アクチュエータであり、第１の部分および第２の部分を備え、
充電および／または放電時に、化学種は、該第２の部分とは異なる程度まで該第１の部分とインターカレート、脱インターカレート、合金化、酸化、還元、またはめっき化し、該第２の部分に対して結果として生じる寸法変化を受けることによって、該第１の部分と該第２の部分との間のひずみ差を該アクチュエータに付与して、該アクチュエータの少なくとも一部分の変位を引き起こし、
該アクチュエータの変位は、機械的仕事を行ない、該仕事を行なう構造に連結されることを必要としない、
アクチュエータシステム。
（項目２）
上記第１の部分は、上記第２の部分と電気通信する、項目１に記載のアクチュエータシステム。
（項目３）
上記化学種はインターカレート化学種である、項目１に記載のアクチュエータシステム。
（項目４）
上記化学種はプロトンである、項目１に記載のアクチュエータシステム。
（項目５）
上記化学種はめっき化学種である、項目１に記載のアクチュエータシステム。
（項目６）
上記第１および第２の部分は、異なる材料から形成される、項目１に記載のアクチュエータシステム。
（項目７）
上記第１および第２の部分は、実質的に同一の材料から形成される、項目１に記載のアクチュエータシステム。
（項目８）
上記第１および第２の部分は、異なる電位を有する、項目１に記載のアクチュエータシステム。
（項目９）
上記第１および第２の部分は、異なる程度まで上記化学種に露出される、項目１に記載のアクチュエータシステム。
（項目１０）
上記アクチュエータの上記変位によって、第１の配向から第２の配向へ変位されるように構築および配置される少なくとも１つの部分を含む構造をさらに備える、項目１に記載のアクチュエータシステム。
（項目１１）
上記化学種は、上記第２の部分とではなく、上記第１の部分と実質的にインターカレート、脱インターカレート、または合金化する、項目１に記載のアクチュエータシステム。
（項目１２）
上記第１の部分は、該第１の部分と上記第２の部分との間のひずみ差を付与するように、該第２の部分とは異なる程度まで上記化学種とインターカレートする、項目１に記載のアクチュエータシステム。
（項目１３）
上記第１の部分は、該第１の部分と上記第２の部分との間のひずみ差を付与するように、該第２の部分とは異なる程度まで上記化学種と合金化する、項目１に記載のアクチュエータシステム。
（項目１４）
上記第１および第２の部分は伝導性である、項目１に記載のアクチュエータシステム。
（項目１５）
充電または放電時に、上記アクチュエータの少なくとも一部分の上記変位は、レザバに力を加えて、該レザバからの流体の容積変位を引き起こす、項目１に記載のアクチュエータシステム。
（項目１６）
上記流体は薬物を含有する、項目１５に記載のアクチュエータシステム。
（項目１７）
上記薬物はインスリンである、項目１６に記載のアクチュエータシステム。
（項目１８）
上記陽極および／または陰極は、ストリップ、板、シート、カップ、折り畳み式シート、またはストリップの形状である、項目１に記載のアクチュエータシステム。
（項目１９）
上記陽極および／または陰極は、非平面である、項目１に記載のアクチュエータシステム。
（項目２０）
上記陽極および／または陰極は、板またはペレットである、項目１に記載のアクチュエータシステム。
（項目２１）
上記陽極および／または陰極は、少なくとも１つの溝を備える、項目１に記載のアクチュエータシステム。
（項目２２）
上記陽極および／または陰極は、多数の「脚」もしくは「腕」または分岐を有する、項目１に記載のアクチュエータシステム。
（項目２３）
上記電気化学セルは、自発的に放電するように構築および配置される、項目１に記載のアクチュエータシステム。
（項目２４）
上記アクチュエータシステムは、機械的仕事を行なう構造に連結される、項目１に記載のアクチュエータシステム。
（項目２５）
上記アクチュエータシステムは、機械的仕事を行なう構造に連結されない、項目１に記載のアクチュエータシステム。
（項目２６）
上記アクチュエータの変位は、正である上記アクチュエータシステムの容積変化または寸法変化によって生成される、項目１に記載のアクチュエータシステム。
（項目２７）
上記アクチュエータの変位は、ゼロである上記アクチュエータシステムの容積変化または寸法変化によって生成される、項目１に記載のアクチュエータシステム。
（項目２８）
上記アクチュエータの変位は、負である上記アクチュエータシステムの容積変化または寸法変化によって生成される、項目１に記載のアクチュエータシステム。
（項目２９）
第１の配向から第２の配向へ変位されるように構築および配置されるアクチュエータシステムであって、
陰極および陽極を備える少なくとも１つの電気化学セルを備え、
該陰極および陽極の片方または両方は、アクチュエータであり、第１の部分および第２の部分を備え、
充電および／または放電時に、化学種は、該第２の部分とは異なる程度まで該第１の部分とインターカレート、脱インターカレート、または合金化し、該第２の部分に対して結果として生じる寸法変化を受けることによって、該第１の部分と該第２の部分との間のひずみ差を該アクチュエータに付与して、該アクチュエータの少なくとも一部分の変位を引き起こし、
該アクチュエータの変位は、機械的仕事を行ない、該仕事を行なう構造に連結されることを必要としない、
アクチュエータシステム。
（項目３０）
上記第１の部分は、上記第２の部分と電気通信する、項目１に記載のアクチュエータシステム。
（項目３１）
上記化学種はインターカレート化学種である、項目２９に記載のアクチュエータシステム。
（項目３２）
上記化学種はプロトンである、項目２９に記載のアクチュエータシステム。
（項目３３）
上記化学種はめっき化学種である、項目２９に記載のアクチュエータシステム。
（項目３４）
上記第１および第２の部分は、異なる材料から形成される、項目２９に記載のアクチュエータシステム。
（項目３５）
上記第１および第２の部分は、実質的に同一の材料から形成される、項目２９に記載のアクチュエータシステム。
（項目３６）
上記第１および第２の部分は、異なる電位を有する、項目２９に記載のアクチュエータシステム。
（項目３７）
上記第１および第２の部分は、異なる程度まで上記化学種に露出される、項目２９に記載のアクチュエータシステム。
（項目３８）
上記アクチュエータの上記変位によって、第１の配向から第２の配向へ変位されるように構築および配置される少なくとも１つの部分を含む構造をさらに備える、項目２９に記載のアクチュエータシステム。
（項目３９）
上記化学種は、上記第２の部分とではなく、上記第１の部分と実質的にインターカレート、脱インターカレート、または合金化する、項目２９に記載のアクチュエータシステム。
（項目４０）
上記第１の部分は、該第１の部分と上記第２の部分との間のひずみ差を付与するように、該第２の部分とは異なる程度まで上記化学種とインターカレートする、項目２９に記載のアクチュエータシステム。
（項目４１）
上記第１の部分は、該第１の部分と上記第２の部分との間のひずみ差を付与するように、該第２の部分とは異なる程度まで上記化学種と合金化する、項目２９に記載のアクチュエータシステム。
（項目４２）
上記第１および第２の部分は伝導性である、項目２９に記載のアクチュエータシステム。
（項目４３）
充電または放電時に、上記アクチュエータの少なくとも一部分の上記変位は、レザバに力を加えて、該レザバからの流体の容積変位を引き起こす、項目２９に記載のアクチュエータシステム。
（項目４４）
上記流体は薬物を含有する、項目４３に記載のアクチュエータシステム。
（項目４５）
上記薬物はインスリンである、項目４４に記載のアクチュエータシステム。
（項目４６）
上記陽極および／または陰極は、ストリップ、板、シート、カップ、折り畳み式シート、またはストリップの形状である、項目２９に記載のアクチュエータシステム。
（項目４７）
上記陽極および／または陰極は、非平面である、項目２９に記載のアクチュエータシステム。
（項目４８）
上記陽極および／または陰極は、板またはペレットである、項目２９に記載のアクチュエータシステム。
（項目４９）
上記陽極および／または陰極は、少なくとも１つの溝を備える、項目２９に記載のアクチュエータシステム。
（項目５０）
上記陽極および／または陰極は、多数の「脚」もしくは「腕」または分岐を有する、項目２９に記載のアクチュエータシステム。
（項目５１）
上記電気化学セルは、自発的に放電するように構築および配置される、項目２９に記載のアクチュエータシステム。
（項目５２）
上記アクチュエータシステムは、機械的仕事を行なう構造に連結される、項目２９に記載のアクチュエータシステム。
（項目５３）
上記アクチュエータシステムは、機械的仕事を行なう構造に連結されない、項目２９に記載のアクチュエータシステム。
（項目５４）
上記アクチュエータの変位は、正である上記アクチュエータシステムの容積変化または寸法変化によって生成される、項目２９に記載のアクチュエータシステム。
（項目５５）
上記アクチュエータの変位は、ゼロである上記アクチュエータシステムの容積変化または寸法変化によって生成される、項目２９に記載のアクチュエータシステム。
（項目５６）
上記アクチュエータの変位は、負である上記アクチュエータシステムの容積変化または寸法変化によって生成される、項目２９に記載のアクチュエータシステム。
（項目５７）
第１の配向から第２の配向へ変位されるように構築および配置されるアクチュエータシステムであって、
陰極および陽極を備える少なくとも１つの電気化学セルを備え、
該陰極および陽極の片方または両方は、アクチュエータであり、第１の部分および第２の部分を備え、
該第２の部分とは異なる程度までの該第１の部分の酸化および／または還元時に、該第２の部分に対して結果として生じる寸法変化を受けることによって、該第１の部分と該第２の部分との間のひずみ差を該アクチュエータに付与して、該アクチュエータの少なくとも一部分の変位を引き起こし、
該アクチュエータの変位は、機械的仕事を行ない、該仕事を行なう構造に連結されることを必要としない、
アクチュエータシステム。
（項目５８）
上記第１の部分は、上記第２の部分と電気通信する、項目１に記載のアクチュエータシステム。
（項目５９）
上記第１の部分の酸化および／または還元時に、上記第２の部分とは異なる程度まで該第１の部分とインターカレート、脱インターカレート、または合金化する化学種をさらに含む、項目５７に記載のアクチュエータシステム。
（項目６０）
上記化学種はインターカレート化学種である、項目５９に記載のアクチュエータシステム。
（項目６１）
上記化学種はプロトンである、項目５９に記載のアクチュエータシステム。
（項目６２）
上記化学種はめっき化学種である、項目５９に記載のアクチュエータシステム。
（項目６３）
上記第１および第２の部分は、異なる材料から形成される、項目５７に記載のアクチュエータシステム。
（項目６４）
上記第１および第２の部分は、実質的に同一の材料から形成される、項目５７に記載のアクチュエータシステム。
（項目６５）
上記第１および第２の部分は、異なる電位を有する、項目５７に記載のアクチュエータシステム。
（項目６６）
上記第１および第２の部分は、異なる程度まで上記化学種に露出される、項目５９に記載のアクチュエータシステム。
（項目６７）
上記アクチュエータの上記変位によって、第１の配向から第２の配向へ変位されるように構築および配置される少なくとも１つの部分を含む構造をさらに備える、項目５７に記載のアクチュエータシステム。
（項目６８）
上記化学種は、上記第２の部分とではなく、上記第１の部分と実質的にインターカレート、脱インターカレート、または合金化する、項目５９に記載のアクチュエータシステム。
（項目６９）
上記第１の部分は、該第１の部分と上記第２の部分との間のひずみ差を付与するように、該第２の部分とは異なる程度まで上記化学種とインターカレートする、項目５９に記載のアクチュエータシステム。
（項目７０）
上記第１の部分は、該第１の部分と上記第２の部分との間のひずみ差を付与するように、該第２の部分とは異なる程度まで上記化学種と合金化する、項目５９に記載のアクチュエータシステム。
（項目７１）
上記第１および第２の部分は伝導性である、項目５７に記載のアクチュエータシステム。
（項目７２）
充電または放電時に、上記アクチュエータの少なくとも一部分の上記変位は、レザバに力を加えて、該レザバからの流体の容積変位を引き起こす、項目５７に記載のアクチュエータシステム。
（項目７３）
上記流体は薬物を含有する、項目７２に記載のアクチュエータシステム。
（項目７４）
上記薬物はインスリンである、項目７３に記載のアクチュエータシステム。
（項目７５）
上記陽極および／または陰極は、ストリップ、板、シート、カップ、折り畳み式シート、またはストリップの形状である、項目５７に記載のアクチュエータシステム。
（項目７６）
上記陽極および／または陰極は、非平面である、項目５７に記載のアクチュエータシステム。
（項目７７）
上記陽極および／または陰極は、板またはペレットである、項目５７に記載のアクチュエータシステム。
（項目７８）
上記陽極および／または陰極は、少なくとも１つの溝を備える、項目５７に記載のアクチュエータシステム。
（項目７９）
上記陽極および／または陰極は、多数の「脚」もしくは「腕」または分岐を有する、項目５７に記載のアクチュエータシステム。
（項目８０）
上記電気化学セルは、自発的に放電するように構築および配置される、項目５７に記載のアクチュエータシステム。
（項目８１）
上記アクチュエータシステムは、機械的仕事を行なう構造に連結される、項目５７に記載のアクチュエータシステム。
（項目８２）
上記アクチュエータシステムは、機械的仕事を行なう構造に連結されない、項目５７に記載のアクチュエータシステム。
（項目８３）
上記アクチュエータの変位は、正である上記アクチュエータシステムの容積変化または寸法変化によって生成される、項目５７に記載のアクチュエータシステム。
（項目８４）
上記アクチュエータの変位は、ゼロである上記アクチュエータシステムの容積変化または寸法変化によって生成される、項目５７に記載のアクチュエータシステム。
（項目８５）
上記アクチュエータの変位は、負である上記アクチュエータシステムの容積変化または寸法変化によって生成される、項目５７に記載のアクチュエータシステム。
（項目８６）
第１の配向から第２の配向へ変位されるように構築および配置されるアクチュエータシステムであって、
陰極および陽極を備える少なくとも１つの電気化学セルを備え、
該陰極および陽極の片方または両方は、アクチュエータであり、第１の部分および第２の部分を備え、
充電および／または放電時に、化学種は、該第２の部分とは異なる程度まで該第１の部分において電気化学的に析出され、該第２の部分に対して結果として生じる寸法変化を受けることによって、該第１の部分と該第２の部分との間のひずみ差を該アクチュエータに付与して、該アクチュエータの少なくとも一部分の変位を引き起こし、
該アクチュエータの変位は、機械的仕事を行ない、該仕事を行なう構造に連結されることを必要としない、
アクチュエータシステム。
（項目８７）
上記第１の部分は、上記第２の部分と電気通信する、項目１に記載のアクチュエータシステム。
（項目８８）
上記化学種はインターカレート化学種である、項目８６に記載のアクチュエータシステム。
（項目８９）
上記化学種はプロトンである、項目８６に記載のアクチュエータシステム。
（項目９０）
上記化学種はめっき化学種である、項目８６に記載のアクチュエータシステム。
（項目９１）
上記第１および第２の部分は、異なる材料から形成される、項目８６に記載のアクチュエータシステム。
（項目９２）
上記第１および第２の部分は、実質的に同一の材料から形成される、項目８６に記載のアクチュエータシステム。
（項目９３）
上記第１および第２の部分は、異なる電位を有する、項目８６に記載のアクチュエータシステム。
（項目９４）
上記第１および第２の部分は、異なる程度まで上記化学種に露出される、項目８６に記載のアクチュエータシステム。
（項目９５）
上記アクチュエータの上記変位によって、第１の配向から第２の配向へ変位されるように構築および配置される少なくとも１つの部分を含む構造をさらに備える、項目８６に記載のアクチュエータシステム。
（項目９６）
上記化学種は、上記第２の部分とではなく、上記第１の部分と実質的にインターカレート、脱インターカレート、または合金化する、項目８６に記載のアクチュエータシステム。
（項目９７）
上記第１の部分は、該第１の部分と上記第２の部分との間のひずみ差を付与するように、該第２の部分とは異なる程度まで上記化学種とインターカレートする、項目８６に記載のアクチュエータシステム。
（項目９８）
上記第１の部分は、該第１の部分と上記第２の部分との間のひずみ差を付与するように、該第２の部分とは異なる程度まで上記化学種と合金化する、項目８６に記載のアクチュエータシステム。
（項目９９）
上記第１および第２の部分は伝導性である、項目８６に記載のアクチュエータシステム。
（項目１００）
充電または放電時に、上記アクチュエータの少なくとも一部分の上記変位は、レザバに力を加えて、該レザバからの流体の容積変位を引き起こす、項目８６に記載のアクチュエータシステム。
（項目１０１）
上記流体は薬物を含有する、項目１００に記載のアクチュエータシステム。
（項目１０２）
上記薬物はインスリンである、項目１０１に記載のアクチュエータシステム。
（項目１０３）
上記陽極および／または陰極は、ストリップ、板、シート、カップ、折り畳み式シート、またはストリップの形状である、項目８６に記載のアクチュエータシステム。
（項目１０４）
上記陽極および／または陰極は、非平面である、項目８６に記載のアクチュエータシステム。
（項目１０５）
上記陽極および／または陰極は、板またはペレットである、項目８６に記載のアクチュエータシステム。
（項目１０６）
上記陽極および／または陰極は、少なくとも１つの溝を備える、項目８６に記載のアクチュエータシステム。
（項目１０７）
上記陽極および／または陰極は、多数の「脚」もしくは「腕」または分岐を有する、項目８６に記載のアクチュエータシステム。
（項目１０８）
上記電気化学セルは、自発的に放電するように構築および配置される、項目８６に記載のアクチュエータシステム。
（項目１０９）
上記アクチュエータシステムは、機械的仕事を行なう構造に連結される、項目８６に記載のアクチュエータシステム。
（項目１１０）
上記アクチュエータシステムは、機械的仕事を行なう構造に連結されない、項目８６に記載のアクチュエータシステム。
（項目１１１）
上記アクチュエータの変位は、正である上記アクチュエータシステムの容積変化または寸法変化によって生成される、項目８６に記載のアクチュエータシステム。
（項目１１２）
上記アクチュエータの変位は、ゼロである上記アクチュエータシステムの容積変化または寸法変化によって生成される、項目８６に記載のアクチュエータシステム。
（項目１１３）
上記アクチュエータの変位は、負である上記アクチュエータシステムの容積変化または寸法変化によって生成される、項目８６に記載のアクチュエータシステム。
（項目１１４）
陰極、陽極、および電気化学セルの第２の部分とは異なる程度まで該電気化学セルの第１の部分とインターカレート、脱インターカレート、合金化、酸化、還元、またはめっき化可能である化学種を備える少なくとも１つの電気化学セルを備え、それによって、該第１および／または第２の部分は、放電時に寸法変化を受けて、機械的仕事を行なうアクチュエータの変位を引き起こし、該電気化学セルは、製造時に充電されるように構築および配置され、使用後に部分的に放電され、または最初の放電後にさらに充電されない、アクチュエータ装置。
（項目１１５）
上記第１の部分は、上記第２の部分と電気通信する、項目１に記載のアクチュエータシステム。
（項目１１６）
放電後に使い捨てである、項目１１４に記載のアクチュエータ装置。
（項目１１７）
上記装置は、流体ポンプである、項目１１４に記載のアクチュエータ装置。
（項目１１８）
上記装置は、流体を身体に送達するための注入流体ポンプである、項目１１４に記載のアクチュエータ装置。
（項目１１９）
放電時に、上記アクチュエータの変位は、レザバに力を加えて、該レザバからの流体の容積変位を引き起こす、項目１１４に記載のアクチュエータ装置。
（項目１２０）
上記流体は薬物を含有する、項目１１９に記載のアクチュエータ装置。
（項目１２１）
上記薬物はインスリンである、項目１２０に記載のアクチュエータ装置。
（項目１２２）
上記変位の速度は、一定または可変である、項目１１９に記載のアクチュエータ装置。
（項目１２３）
上記容積変位は、上記セルの放電速度を制御することによって制御される、項目１１９に記載のアクチュエータ装置。
（項目１２４）
上記容積変位は、上記セルが放電する回路の抵抗を変動することによって制御される、項目１１９に記載のアクチュエータ装置。
（項目１２５）
上記アクチュエータ装置は、デューティサイクルを有し、該デューティサイクルは、上記アクチュエータ装置に結合した外部回路を開放および／または閉鎖することによって制御される、項目１１９に記載のアクチュエータ装置。
（項目１２６）
上記寸法変化は、イオン交換時に寸法を変化させる多孔質電極によって提供される、項目１１４に記載のアクチュエータ装置。
（項目１２７）
上記多孔質電極は、圧粉もしくは金属発泡体または寸法的に活性な材料および寸法的に非活性な材料の混合物であり、該電極は、任意で添加物を含む、項目１２６に記載のアクチュエータ装置。
（項目１２８）
上記多孔質電極は、充電または放電時に、湾曲、屈曲、カッピングを含む寸法変化を受ける、項目１２６に記載のアクチュエータ装置。
（項目１２９）
上記多孔質電極は、多孔度の勾配を備える、項目１２８に記載のアクチュエータ装置。
（項目１３０）
上記多孔質電極は、表層をさらに備える、項目１２８に記載のアクチュエータ装置。
（項目１３１）
上記表層は、上記多孔質電極よりも大きい程度まで、インターカレート、脱インターカレート、合金化、酸化、還元、またはめっき化される、項目１３０に記載のアクチュエータ装置。
（項目１３２）
上記電気化学セルの寸法的に活性な材料は、プロトン、アルカリイオン、イオン錯体、ヒドロキシルイオン、炭酸イオン、塩素酸イオン、硫酸イオン、およびリン酸イオンから成る群からの、化学種とのインターカレートまたは合金化時に膨張する、項目１１４に記載のアクチュエータ装置。
（項目１３３）
上記電気化学セルの寸法的に活性な材料は、リチウムとインターカレートまたは合金化し、Ａｌ、Ａｕ、Ａｇ、Ｇａ、Ｓｉ、Ｇｅ、Ｔｉ、Ｓｎ、Ｓｂ、Ｐｂ、Ｚｎ、炭素、黒鉛、硬質炭素、メソポーラス炭素、酸化物、インターカレーション酸化物、層状酸化物、粘土鉱物、硫化物、層状硫化物、ＴｉＳ２、ＭｏＳ２、およびＷＳ２のうちの１つ以上を含む、項目１１４に記載のアクチュエータ装置。
（項目１３４）
上記電気化学セルは、自発的に放電するように構築および配置される、項目１１４に記載のアクチュエータ装置。
（項目１３５）
陰極、陽極、およびインターカレーション化学種を備える少なくとも１つの電気化学セルを備える注入ポンプであって、該陰極および／または陽極は、流体を身体へ注入させるように、充電および／または放電時に寸法変化を受ける、注入ポンプ。
（項目１３６）
上記電気化学セルは、自発的に放電するように構築および配置される、項目１３５記載の注入ポンプ。
（項目１３７）
上記流体は、液体、固体と液体の混合物、ペースト、またはゲルを含む、項目１３５に記載の注入ポンプ。
（項目１３８）
上記流体は薬物を含有する、項目１３５に記載の注入ポンプ。
（項目１３９）
上記薬物はインスリンである、項目１３５に記載の注入ポンプ。
（項目１４０）
上記注入速度は、一定または可変である、項目１３５に記載の注入ポンプ。
（項目１４１）
上記注入速度は、上記セルの放電速度を制御することによって制御される、項目１１４に記載のアクチュエータシステム。
（項目１４２）
上記注入速度は、上記セルが放電する回路の抵抗を変動することによって制御される、項目１１４に記載のアクチュエータシステム。
（項目１４３）
上記アクチュエータシステムは、デューティサイクルを有し、該デューティサイクルは、上記アクチュエータ装置に結合した外部回路を開放および／または閉鎖することによって制御される、項目１１９に記載のアクチュエータシステム。
（項目１４４）
生理学的設定において使用されるように構築および配置されるアクチュエータであって、
第２の部分に隣接する第１の部分を備え、該第１の部分は、化学種を含む体液に露出すると寸法変化を受け、結果としてもたらされる該化学種の該第１の部分への電気化学インターカレーション、該化学種の該第１の部分からの脱インターカレーション、または該化学種との接触の結果としての該第１の部分の酸化／還元は、該アクチュエータの寸法変化を付与する、アクチュエータ。
（項目１４５）
上記第１の部分は、上記第２の部分と電気通信する、項目１に記載のアクチュエータシステム。
（項目１４６）
上記第１および第２の部分は、異なる電位を有する、項目１４４に記載のアクチュエータ。
（項目１４７）
上記体液は血液である、項目１４４に記載のアクチュエータ。
（項目１４８）
上記化学種はプロトンである、項目１４４に記載のアクチュエータ。
（項目１４９）
身体に埋め込まれる、項目１４４に記載のアクチュエータ。
（項目１５０）
上記アクチュエータは、自発的に放電するように構築および配置される、項目１４４に記載のアクチュエータ。
（項目１５１）
薬物を身体に投与するための電気化学アクチュエータであって、
少なくとも１つの陰極と、
少なくとも１つの陽極と、
化学種と、
を備え、
該電気化学アクチュエータは、電圧または電流の印加を受け、それによって、該電圧または電流の印加またはその停止は、該電気化学アクチュエータの少なくとも１つの電極において、該化学種のインターカレーションを含み、該電気化学アクチュエータの容積変化または寸法変化をもたらし、
該容積変化または寸法変化は、薬物の身体への投与をもたらす、
電気化学アクチュエータ。
本発明は、第１の配向から第２の配向へ変位されるように構築および配置されるアクチュエータシステムであって、陰極および陽極を備える少なくとも１つの電気化学セルを備え、陰極および陽極の片方または両方は、アクチュエータであり、第１の部分および第２の部分を備え、充電および／または放電時に、化学種は、第２の部分とは異なる程度まで第１の部分とインターカレート、脱インターカレート、合金化、酸化、還元、またはめっき化し、第２の部分に対して結果として生じる寸法変化を受けることによって、第１の部分と第２の部分との間のひずみ差をアクチュエータに付与して、アクチュエータの少なくとも一部分の変位を引き起こし、アクチュエータの変位は、機械的仕事を行ない、その仕事を行なう構造に連結されることを必要としない、アクチュエータシステムに関する。